(57)【特許請求の範囲】
【請求項１】
他の機器と通信するための通信線が接続されるベース筐体と、映像表示部、音声を鳴らすスピーカ、操作ボタン部、及び前記映像表示部と前記スピーカと前記操作ボタン部とを駆動させる回路を有するプリント基板が収容されるカバー筐体と、を備え、前記ベース筐体の前面に前記カバー筐体を固定して成るインターホンにおいて、
前記カバー筐体の上下いずれか一方が前記ベース筐体の上下いずれか一方に係止され、前記カバー筐体には前記係止される側と反対側にネジ用の貫通孔が形成され、
前記操作ボタン部は、前記カバー筐体の右側又は左側のいずれか一方側に配置され、
前記カバー筐体に形成された貫通孔は、前記カバー筐体から取り外し可能な別部材で覆われる位置に配置され、
前記スピーカは、前記カバー筐体に形成される係止部に近い側に配置され、
前記映像表示部は、正面視で前記カバー筐体の略中央に配置され、当該映像表示部を中心に、前記カバー筐体と前記別部材とを上下方向に分割できることを特徴とするインターホン。
【請求項２】
前記操作ボタン部以外の他のスイッチ及び外部記憶媒体は、前記別部材で覆われる位置に配置されることを特徴とする請求項１記載のインターホン。
【請求項３】
前記外部記憶媒体は、前記カバー筐体の表面と平行方向で、かつ前記カバー筐体の表面より奥側に配置されると共に、前記外部記憶媒体の取出し口の近傍に傾斜を設けたことを特徴とする請求項２記載のインターホン。
【発明の詳細な説明】
【技術分野】
【０００１】
本発明は、室内の壁に取り付けて使用されるインターホンに関する。
【背景技術】
【０００２】
従来から、図５に示すように壁に埋め込んで使用されるインターホン５が知られている（例えば、特許文献１参照）。このインターホン５は、各種の操作ボタン部５１、液晶表示部５２、スピーカ５３やプリント基板等が収容されたカバー筐体５ａと、通信線や電源が収容され壁面に埋め込まれ固定されるベース筐体５ｃとから成り、カバー筐体５ａの四隅に設けられたネジ用の貫通孔を介してベース筐体５ｃにネジ止めして固定されている。
【先行技術文献】
【特許文献】
【０００３】
【特許文献１】特開２００３−６９６８１号公報
【発明の概要】
【発明が解決しようとする課題】
【０００４】
しかしながら、上記従来のインターホン５においては、カバー筐体５ａとベース筐体５ｃとが四隅のネジで固定されるため、カバー筐体５ａの正面側の左右両端にネジ隠し用カバー５ｂを設ける必要がある。このため、インターホン５の正面側にはネジ隠し用カバー５ｂ等の成形部材同士の境界線５４等が上下に亘って入ってしまい、デザイン性を損ねるという問題がある。
【０００５】
また、従来のインターホン５では、アドレス設定等の各種の施工設定に使用するスイッチはカバー筐体５ａ側のネジ隠し用カバー５ｂを取り外した箇所に配置されており、一旦カバー筐体５ａをベース筐体５ｃに取り付けた後に再度設定変更が必要な場合、都度ネジ隠し用カバー５ｂを取り外す手間を要するため施工性が悪いという問題もある。
【０００６】
本発明は、上記課題に鑑みてなされたものであり、デザイン性を損なわず、かつ各種の施工設定をする際にも操作性のよいインターホンを提供することを目的とする。
【課題を解決するための手段】
【０００７】
上記目的を達成するために本発明は、他の機器と通信するための通信線が接続されるベース筐体と、映像表示部、音声を鳴らすスピーカ、操作ボタン部、及び前記映像表示部と前記スピーカと前記操作ボタン部とを駆動させる回路を有するプリント基板が収容されるカバー筐体と、を備え、前記ベース筐体の前面に前記カバー筐体を固定して成るインターホンにおいて、前記カバー筐体の上下いずれか一方が前記ベース筐体の上下いずれか一方に係止され、前記カバー筐体には前記係止される側と反対側にネジ用の貫通孔が形成され、前記操作ボタン部は、前記カバー筐体の右側又は左側のいずれか一方側に配置され、前記カバー筐体に形成された貫通孔は、前記カバー筐体から取り外し可能な別部材で覆われる位置に配置され、前記スピーカは、前記カバー筐体に形成される係止部に近い側に配置され、前記映像表示部は、正面視で前記カバー筐体の略中央に配置され、当該映像表示部を中心に、前記カバー筐体と前記別部材とを上下方向に分割できることを特徴とする。
【０００９】
また、本発明に係るインターホンの前記操作ボタン部以外の他のスイッチ及び外部記憶媒体は、前記別部材で覆われる位置に配置されることが好ましい。
【００１０】
また、本発明に係るインターホンの前記外部記憶媒体は、前記カバー筐体の表面と平行方向で、かつ前記カバー筐体の表面より奥側に配置されると共に、前記外部記憶媒体の取出し口の近傍に傾斜を設けることが好ましい。
【発明の効果】
【００１１】
本発明に係るインターホンでは、カバー筐体の上側がベース筐体の上側に係止され、カバー筐体には係止される側と反対側にネジ用の貫通孔が形成され、操作ボタン部は、カバー筐体の右側又は左側のいずれか一方側に配置されるため、デザイン性を損なわず、かつ施工設定時の操作性を向上できる。
【図面の簡単な説明】
【００１２】
【図１】（ａ）本発明の実施の形態に係るインターホンの斜視図、（ｂ）同インターホンのカバー筐体を分解した斜視図、（ｃ）同インターホンのカバー筐体とベース筐体との分解斜視図。
【図２】実施の形態に係るインターホンを用いたインターホンシステムの構成図。
【図３】（ａ）本実施の形態に係るインターホンにおいて別部材を取り外した状態の正面図、（ｂ）同インターホンの外部記憶媒体取り出し口付近の拡大斜視図。
【図４】実施の形態の第１の変形例に係るインターホンの正面図。
【図５】（ａ）従来のインターホンの斜視図、（ｂ）同インターホンのネジ隠し用カバーを取り外した状態の斜視図、（ｃ）同インターホンのカバー筐体とベース筐体との分解斜視図。
【発明を実施するための形態】
【００１３】
本発明の実施の形態に係るインターホンについて図面を参照して説明する。
【００１４】
（実施の形態）
図１に示すように、本実施の形態に係るインターホン１は、スピーカ１１、操作ボタン部１２、映像表示部１３、プリント基板等が収容されるカバー筐体１ａと、他の機器から接続された複数の通信線や電源が収容されたベース筐体１ｂと、を備える。なお、プリント基板は、スピーカ１１と操作ボタン部１２と映像表示部１３とを駆動させる駆動回路を有している。
【００１５】
スピーカ１１は、後述する図２に示すようにインターホン１が接続された子器２を介して来訪者が発した音声を住人に伝えるものであり、電気信号に従い音声を発生させる。なお、スピーカ１１は、音声のみでなく警告音等も発する場合がある。
【００１６】
操作ボタン部１２は、例えば「解錠」、「メニュー」、「録画」、「留守」等の複数種のボタンから構成され、住人は映像表示部１３の表示に応じて操作ボタン部１２を押して要求する制御を行う。例えば、非常ボタン１２ａは、火事や事故などの万一のトラブル発生時に押され、住戸内や管理室に警報音で異常発生を知らせる。解錠ボタンは、来客応対時に点滅し、オートロックや住戸玄関電気錠を解錠するために用いられる。また、例えば、住人が来訪者の声を聞きとりにくい場合には操作ボタン部１２の音量ボタンを用いて通話中に受話音量を上げて聞きとり易くできる。
【００１７】
映像表示部１３は、玄関の子器に備えられたカメラに写された来訪者を映すカラー液晶モニタ等である。住人は、映像表示部１３に表示されている画像に基づいて来訪者を確認する。なお、映像表示部１３は、玄関にいる来訪者を映す以外に、住宅用火災警報器からの信号を受けて火災警報表示等することも可能である。
【００１８】
ベース筐体１ｂには、側壁の開口から導入される電線に結線される端子が内装されると共に、他の子器から接続される通信線が複数接続されている。
【００１９】
また、図１（ａ）に示すように、操作ボタン部１２は、カバー筐体１ａの右側に並べて配置される。この構成により、操作時にユーザの手が左右に動いて映像表示部１３を遮ることを防止して操作性を向上できる。また、操作ボタン部１２を右側に並べ、操作ボタン部１２と映像表示部１３を除いた部分全体を別部材で構成できるので、カバー筐体１ａの表面側に成型部材の境界線があまり現れず、デザイン性を損なわない。
【００２０】
また、図１（ｂ）に示すように、映像表示部１３は正面視でカバー筐体１ａの略中央に配置され、カバー筐体１ａの下側には別部材１７が取り外し可能に装着される。この構成により、映像表示部１３を中心に、カバー筐体１ａを別部材１７等で上下方向に分割できるようにしている。
【００２１】
カバー筐体１ａは、正面視で略長方形状であり、背面側の周縁に枠部が形成されている。また、ベース筐体１ｂは正面視で略長方形状であり、正面側の周縁に枠部が形成されている。そして、図１（ｃ）に示すように、カバー筐体１ａの上枠部には、ベース筐体１ｂの上枠部に設けられた２箇所の係止部１ｄと係合する係止部１ｃが２箇所形成されている。
【００２２】
カバー筐体１ａの係止部１ｃの反対側には、ベース筐体１ｂに形成されたネジ穴１４ｂに対応する箇所に、ネジ用の貫通孔１４ａが形成されている。また、スピーカ１１は、カバー筐体１ａに形成される係止部１ｃに近い側に配置されている。
【００２３】
そして、インターホン１を壁に施工する場合、ベース筐体１ｂを壁面に埋設させて固定した後、このベース筐体１ｂの上枠部に形成された係止部１ｄに、カバー筐体１ａの背面側の上枠部に形成された係止部１ｃを係止してベース筐体１ｂの表面側にカバー筐体１ａを仮固着する。
【００２４】
次に、カバー筐体１ａの下側に形成された貫通孔１４ａを通してベース筐体１ｂの下側に形成されているネジ穴１４ｂにネジ等の止め具を貫通させドライバー等でこれを締め付けて、ベース筐体１ｂにカバー筐体１ａを固着する。これにより、住人の生活動線を妨げないフラットでスリムなインターホン１を壁面に設置できる。
【００２５】
図２（ａ）及び（ｂ）に示すように、インターホン１は、マンション玄関ロビーや住戸玄関に設置されるカメラ付ドアホン子器２と通信線２２を用いて接続される。
【００２６】
そして、来訪者はドアホン子器２のボタンを押して住人を呼び出す。このドアホン子器２には高感度ＣＣＤ等の撮像素子を用いたカメラ２１が備えられ、住人は、カメラ２１で撮像された来訪者をインターホン１の映像表示部１３で確認しながらスピーカ１１を介して通話を行い、解錠ボタンを押して玄関ロビーや玄関の解錠を行う。なお、子器は複数接続されている場合もある。
【００２７】
また、図２（ｂ）に示すように、映像表示部１３の周囲に配置される映像表示部１３の位置決め用部材１３ａをカバー筐体１ａとは別色とする。このため、位置決め用部材１３ａとカバー筐体１ａとの境界線が目立たなくなり、インターホン１のデザイン性を損なわないという視覚上の効果も有している。
【００２８】
また、図３（ａ）に示すように、インターホン１のカバー筐体１ａにおいて、ネジ止め用の貫通孔１４ａと設定用スイッチ１５と外部記憶媒体１６とは別部材１７で覆われる位置に配置される。この構成により、インターホン１の部材を減らすと共に、設定用スイッチ１５や外部記憶媒体１６は、別部材１７を取り外すことでカバー筐体１ａの表面側から操作することができるので、従来のように設定の度にカバー筐体１ａを取り外す必要がなく施工性を格段に向上できる。なお、ここで設定用スイッチ１５は、例えば部屋番号等のアドレス設定用スイッチであり、外部記憶媒体１６は、例えばＳＤカードやマイクロＳＤカード等の半導体メモリである。
【００２９】
また、図３（ｂ）に示すように、外部記憶媒体１６は、カバー筐体１ａの表面と平行方向で、かつカバー筐体１ａの表面より奥位置から挿入され、外部記憶媒体１６の取り出し口周辺には傾斜部１８が形成されている。この構成により、外部記憶媒体１６の内部にホコリなどの異物が侵入しにくくなり、外部記憶媒体１６を横方向に滑らせて取り出せると共に、傾斜部１８を設けることで外部記憶媒体１６の出し入れが容易となる。
【００３０】
以上の説明のように、本実施の形態に係るインターホン１では、操作ボタン部１２を右側に並べ、操作ボタン部１２と映像表示部１３を除く箇所を別部材１７等で覆う構成とできるので、カバー筐体１ａの表面側に成型部材の境界線があまり現れず、インターホン１のデザイン性を損なわない。また、操作ボタン部１２を右側に並べているので、操作中にユーザの手が映像表示部１３を遮ることもなく、操作性も向上できる。
【００３１】
（第１の変形例）
本実施の形態の第１の変形例について、図４を参照して説明する。本変形例に係るインターホン４では、映像表示部４４がカバー筐体の略中央部ではなく上側に配置され、操作ボタン部４３がカバー筐体の右下側にまとめて配置され、下端中央部にネジ止め用の貫通孔４２が形成され、この貫通孔４２を隠すように左側下半分が別部材４１で覆われる。
【００３２】
この構成によって、上記の実施の形態と同様に、カバー筐体の表面に成型部材の境界線があまり現れず、インターホン４のデザイン性を損なわない。また、操作ボタン部４３を右下側に並べているので、操作中にユーザの手が映像表示部４４を遮ることもなく、操作性を向上させることができる。
【００３３】
なお、本発明は、上記実施の形態の構成に限られず、発明の趣旨を変更しない範囲で種々の変形が可能である。例えば、インターホンのカバー筐体の係止部を下側に設けスピーカを下側に配置し、ネジ用の貫通孔を上側に設けることも考えられ、操作ボタン部を左側に並べて配置することも考え得る。また、インターホンは、本図の構成のものに限られず、電気回路部品等がベース筐体に収容されたものなど、インターホン機能を有する機器全般を含む。
【符号の説明】
【００３４】
１  インターホン
１ａ  カバー筐体
１ｂ  ベース筐体
１ｃ，１ｄ  係止部
２  ドアホン子器
１１  スピーカ
１２  操作ボタン部
１３  映像表示部
１４  プリント基板
１４ａ  貫通孔
１４ｂ  ネジ穴
１５  設定用スイッチ
１６  外部記憶媒体
１７  別部材
１８  傾斜部
【図１】
0005602481.tif 000002
【図２】
0005602481.tif 000003
【図３】
0005602481.tif 000004
【図４】
0005602481.tif 000005
【図５】
0005602481.tif 000006